(57)【要約】【課題】変換元データのフォーマットをユーザが希望するフォーマットに変換する。【解決手段】ユーザが使用するユーザコンピュータ１０と、ユーザコンピュータ１０を通じてユーザから行われたデータのフォーマットの変換要求に応じてデータのフォーマットを変換するデータ変換センター２０と、データ変換センター２０でフォーマットが変換されたデータを格納してある記憶媒体を指定の宛先へ配送する配送センター３０とを相互にインターネット１００を介して接続する。【選択図】　　図１
2004038762.tif 000002
【特許請求の範囲】
【請求項１】
変更元のコンピュータで処理したデータを変更先のコンピュータで使えるように、データのフォーマット変換する変換システムであって、
少なくともコンピュータの機種を変更する場合のフォーマットの変換規則を格納したデータ変換装置と、
変更元及び変更先のコンピュータの少なくとも機種を示す情報を入力する入力装置とを備え、
前記データ変換装置は、前記入力装置から入力された情報に基づいて変換規則を検索しておき、前記変更元のコンピュータで処理したデータが送信されたときに、検索した前記変換規則に従って当該データのフォーマットを前記変更先のコンピュータで処理できるように変換することを特徴とする変換システム。
【請求項２】
さらに、前記データ変換装置は、前記コンピュータのメーカを変換する場合のフォーマットの変換規則を格納していることを特徴とする請求項１記載のデータ変換システム。
【請求項３】
前記入力装置と前記データ変換装置とは通信ネットワークで相互に接続されていることを特徴とする請求項１又は２記載の変換システム。
【請求項４】
前記入力装置を少なくとも前記いずれかのコンピュータに備えることを特徴とする請求項１から３のいずれか１項記載の変換システム。
【請求項５】
前記コンピュータの変換に代えて、又は前記コンピュータの変換と共に、コンピュータで処理したデータを記憶する記憶媒体の変更が生じたときに、前記データのフォーマットを変換することを特徴とする請求項４記載の変換システム。
【請求項６】
さらに、前記フォーマットが変換されたデータを保存した記憶媒体を指定された宛先へ配送する配送センターを備えていることを特徴とする請求項４又は５記載の変換システム。
【請求項７】
変更元の記憶媒体に記憶したデータを変更先の記憶媒体に記憶できるように、データのフォーマット変換する変換システムであって、
記憶媒体を変更する場合のフォーマットの変換規則を格納したデータ変換装置と、
変更元及び変更先の記憶媒体を示す情報を入力する入力装置とを備え、
前記データ変換装置は、前記入力装置から入力された情報に基づいて変換規則を検索しておき、前記変更元の記憶媒体に記憶してあるデータが送信されたときに、検索した前記変換規則に従って当該データのフォーマットを前記変更先の記憶媒体に記憶できるように変換することを特徴とする変換システム。
【発明の詳細な説明】
【０００１】
【発明の属する技術分野】
本発明は、変換システムに関し、特に、変更元のコンピュータで処理したデータのフォーマットを、変更先のコンピュータで使えるように変換する変換システムに関する。
【０００２】
【従来の技術】
従来、コンピュータのオープン化及び、各種ストレージ機器（記録媒体）の世代交代及び、多様化が急速に進み、過去の資産を積極的に活用するため、また、異なるプラットフォーム間でデータ運用を行うため、データ変換（媒体変換，プラットフォーム変換）のニーズが高まってきた。
【０００３】
ここで、リムーバブル媒体の輸送や変換作業の際に、リムーバブル媒体を取り扱う作業等物理的な作業が中心となり、ユーザの期待に応えられるタイムリーな作業が困難である。また、ユーザの貴重な資産（データ，媒体）が損失しないようリムーバブル媒体の取り扱いに注意する必要がある。
【０００４】
また、近年ブロードバンド網の整備が進み、インターネットを介したデータ転送が非常に高速化され、大量のデータをインターネットを介して短時間で送受信することが可能になった。
【０００５】
この通信ネットワークを利用し、媒体変換サービスのリードタイム短縮、ユーザ資産損失への保護，費用低減等でユーザの業務を支援する技術がある。
【０００６】
また、特開平１１−１３４２６５号公報には、小型低価格で効率よくデータの形式の変換を行うことができる端末及び効率よくデータの形式の変換作業を行うことができるシステムを提供することを課題とした技術が記載されている。
【０００７】
この課題を解決する手段として、公衆回線網を介して複数の端末とサーバとが接続されている。端末は、データの形式を変換する場合、自らは変換処理を行わず、データのフォーマット、使用機種等の変換条件を設定する。端末は設定された変換条件をメール本文に設定し、変換対象データをＭＩＭＥ規格に準拠したテキストデータに変換し、メール本文に添付してＥメールでサーバに送信する。サーバは、メール本文と添付データを分離し、添付データからバイナリデータに復元し、メール本文中の変換条件に従って、復元した変換対象データの形式を変換し、テキストデータに変換してから端末に返送する。端末はこのテキストデータを受信し、バイナリデータに復元することにより、形式が変換されたデータを取得するようにした技術が記載されている。
【０００８】
【発明が解決しようとする課題】
しかし、従来の技術は、あくまで、画像、音声等のデータのファイル形式を変換するものであって、各種コンピュータで使用されているデータのフォーマットを変換するものではない。
【０００９】
また、従来の技術は、変換後のデータを公衆回線のみで提供するものであるが、ユーザが希望する媒体（磁気テープ，光ディスク等）に記録して納品できるようにすることも望まれている。
【００１０】
さらに、コンピュータのメーカや機種を変更しない場合であっても、記憶媒体の変更を望む場合もある。
【００１１】
そこで、本発明は、変換元データのフォーマットをユーザが希望するフォーマットに変換することを課題とする。
【００１２】
【課題を解決するための手段】
上記課題を解決するために、本発明は、変更元のコンピュータで処理したデータを変更先のコンピュータで使えるように、データのフォーマット変換する変換システムであって、少なくともコンピュータの機種を変更する場合のフォーマットの変換規則を格納したデータ変換装置と、変更元及び変更先のコンピュータの少なくとも機種を示す情報を入力する入力装置とを備え、前記データ変換装置は、前記入力装置から入力された情報に基づいて変換規則を検索しておき、前記変更元のコンピュータで処理したデータが送信されたときに、検索した前記変換規則に従って当該データのフォーマットを前記変更先のコンピュータで処理できるように変換する。
【００１３】
また、本発明は、変更元の記憶媒体に記憶したデータを変更先の記憶媒体に記憶できるように、データのフォーマット変換する変換システムであって、記憶媒体を変更する場合のフォーマットの変換規則を格納したデータ変換装置と、変更元及び変更先の記憶媒体を示す情報を入力する入力装置とを備え、前記データ変換装置は、前記入力装置から入力された情報に基づいて変換規則を検索しておき、前記変更元の記憶媒体に記憶してあるデータが送信されたときに、検索した前記変換規則に従って当該データのフォーマットを前記変更先の記憶媒体に記憶できるように変換する。
【００１４】
【発明の実施の形態】
以下、本発明の実施形態について図面を参照して説明する。
【００１５】
［構成の説明］
図１は、本発明の実施形態の変換システムの模式的な構成を示すブロック図である。
【００１６】
図１には、ユーザが使用するユーザコンピュータ１０と、ユーザコンピュータ１０を通じてユーザから行われたデータのフォーマットの変換要求に応じてデータのフォーマットを変換するデータ変換センター２０と、データ変換センター２０でフォーマットが変換されたデータを格納してある記憶媒体を指定の宛先へ配送する配送センター３０とが相互にインターネット１００を介して接続されている様子を示している。
【００１７】
図２は、図１のユーザコンピュータ１０の内部構成を示すブロック図である。
【００１８】
図２には、ユーザコンピュータ１０全体の動作の制御を司る処理装置１０１と、処理装置１０１で使用されるデータが格納されるデータベース１０２とを備えている。
【００１９】
表１は、図２のデータベース１０２に格納されているユーザが作成したデータの一例を示す表である。
【００２０】
【表１】
2004038762.tif 000003
表１には、社員番号と、氏名と、住所と、電話番号とを一体で登録できるようにしている様子を示している。具体的には、社員番号Ａと氏名Ｂと住所Ｃと電話番号Ｄとが一体で登録され、社員番号Ｌと氏名Ｍと住所Ｎと電話番号Ｐとが一体で登録され、社員番号Ｗと氏名Ｘと住所Ｙと電話番号Ｚとが一体で登録されており、これらのデータを他のメーカのコンピュータ等で使用できるようにする。
【００２１】
図３は、図１のデータ変換センター２０の内部構成を示すブロック図である。
【００２２】
図３には、データのフォーマットを変換する際に参照する変換規則が格納された変換テーブル２０２と、ユーザコンピュータ１０側からの変換要求に基づいて変換テーブル２０２を検索して、目的とする変換規則に従ってデータのフォーマットを変換して当該データをインターネット１００を介してユーザコンピュータ１０へ送信したり、当該データを記憶媒体に格納して配送センター３０に送るワークステーション等の処理装置２０１とを示している。
【００２３】
表２は、図３の変換テーブル２０２に格納されているデータの変換規則を示す表である。
【００２４】
【表２】
2004038762.tif 000004
表２には、メーカａからメーカｂへ変換するときの変換規則αと、機種ｃから機種ｄへ変換するときの変換規則βと、媒体ｅから媒体ｆへ変換するときの変換規則γとを格納している様子を示している。
【００２５】
実際には、メーカ、機種等は多種多様であるので、それぞれの相互変換が可能なように種々の変換規則を格納してある。
【００２６】
表３は、図３のデータ変換センター２０から送信された情報に基づいて作成されるユーザコンピュータ１０でデータのフォーマット変換のための入力画面を示す表である。
【００２７】
【表３】
2004038762.tif 000005
表３には、現在使用しているコンピュータのメーカ、コンピュータの機種、媒体の情報入力と、変換後に使用するコンピュータのメーカ、コンピュータの機種、媒体の情報入力とができるようにしている様子を示している。
【００２８】
［動作の説明］
図４は、図１の変換システムの動作を示すフローチャートである。
【００２９】
まず、ユーザがユーザコンピュータ１０に対してデータのフォーマットの変換を要求すると、ユーザコンピュータ１０はインターネット１００を介してデータ変換センター２０へ、フォーマットの変換のための情報の返送を要求する（ステップＡ１）。
【００３０】
データ変換センター２０は、ユーザコンピュータ１０からの要求に応じて、インターネット１００を介して、表３に示すような入力画面がユーザコンピュータ１０で表示できるようにするための情報を返信する（ステップＡ２）。
【００３１】
ユーザコンピュータ１０は、データ変換センター２０から返信された情報を受信すると、図示しないモニタに表３に示すような入力画面を表示する。
【００３２】
その後、ユーザが、モニタに表示された入力画面に従って、現在運用中のコンピュータのメーカ、コンピュータの機種、媒体の情報を入力し、さらにこれから運用するコンピュータのメーカ、コンピュータの機種、媒体の情報を入力し、インターネット１００を介してデータ変換センター２０へ送付すると、データ変換センター２０で以下説明するような形態で、データのフォーマットが変換される。
【００３３】
ここで、コンピュータのメーカ、コンピュータの機種、媒体を変換する場合の手法について説明する。
【００３４】
１．ユーザコンピュータ１０をメーカａの機種ｃからメーカｂの機種ｄへ変更する場合
ユーザは、モニタに表示される表３の入力画面の現在運用中の「コンピュータのメーカ」の欄に「ａ」と入力し、これから運用する「コンピュータのメーカ」の欄に「ｂ」と入力する。さらに、モニタに表示される表３の入力画面の現在運用中の「コンピュータの機種」の欄に「ｃ」と入力し、これから運用する「コンピュータの機種」の欄に「ｄ」と入力する。
【００３５】
すると、処理装置１０１は、ユーザから入力された情報とデータベース１０２に格納されている表１のようなデータ形式とを、一緒にデータ変換センター２０にインターネット１００を介して送信する（ステップＡ３）。
【００３６】
データ変換センター２０は、処理装置２０１で、現在運用中のコンピュータのメーカ「ａ」とこれから運用するコンピュータのメーカ「ｂ」とをいう情報及び、現在運用中のコンピュータの機種「ｃ」とこれから運用するコンピュータの機種「ｄ」とをいう情報に基づいて変換テーブル２０２を検索する。
【００３７】
ここでは、変換テーブル２０２に格納されている表２のような変換規則α〜γのうち、変換規則αが選択され、表１の形式のデータのフォーマットを、表２の変換形式αに従って変換して、インターネット１００を介してユーザコンピュータ１０へ送信する（ステップＡ４）。
【００３８】
２．ユーザコンピュータ１０をメーカは変更せずに、機種ｃから機種ｄに変更する場合
ユーザは、モニタに表示される表３の入力画面の現在運用中の「コンピュータの機種」の欄に「ｃ」と入力し、これから運用する「コンピュータの機種」の欄に「ｄ」と入力する。
【００３９】
すると、処理装置１０１は、ユーザから入力された情報とデータベース１０２に格納されている表１のようなデータ形式とを、一緒にデータ変換センター２０にインターネット１００を介して送信する（ステップＡ５）。
【００４０】
データ変換センター２０は、処理装置２０１で、現在運用中のコンピュータの機種「ｃ」と、これから運用するコンピュータの機種「ｄ」とをいう情報に基づいて変換テーブル２０２を検索する。
【００４１】
ここでは、変換テーブル２０２に格納されている表２のような変換規則α〜γのうち、変換規則βが選択され、表１の形式のデータのフォーマットを、表２の変換形式βに従って変換して、インターネット１００を介してユーザコンピュータ１０へ送信する（ステップＡ６）。
【００４２】
３．データを格納する媒体を媒体ｅから媒体ｆに変更する場合
ユーザは、モニタに表示される表３の入力画面の現在用いている「媒体」の欄に「ｅ」と入力し、これから用いる「媒体」の欄に「ｆ」と入力すると共に媒体ｆの作成本数を入力する。なお、このとき、作成した媒体の送信先も併せて入力しておく。
【００４３】
すると、処理装置１０１は、ユーザから入力された情報とデータベース１０２に格納されている表１のようなデータ形式とを、一緒にデータ変換センター２０にインターネット１００を介して送信する（ステップＡ７）。
【００４４】
データ変換センター２０は、処理装置２０１で、現在用いている媒体「ｅ」と、これから用いる媒体「ｆ」とをいう情報に基づいて変換テーブル２０２を検索する。
【００４５】
ここでは、変換テーブル２０２に格納されている表２のような変換規則α〜γのうち、変換規則γが選択され、表１の形式のデータのフォーマットを、表２の変換形式γに従って変換して、変換後のデータをインターネット１００を介してユーザコンピュータ１０へ送信すると共に、変換後のデータをユーザコンピュータ１０側から送られてきた作成本数分の媒体ｆに格納して、配送センター３０へ送付する（ステップＡ８）。
【００４６】
配送センター３０は、指定された宛て先へ、媒体ｆを配送する（ステップＡ１０）。
【００４７】
なお、データ変換センター２０から配送センター３０へ作成した媒体を配送するのに代えて、データ変換センター２０から配送センター３０へフォーマットを変換したデータをインターネット１００を介して送信し、配送センター３０側で作成本数分の媒体を作成してもよい。
【００４８】
また、ユーザコンピュータ１０のメーカや機種を変更しない場合であっても、記憶媒体の変更を行ってもよい。さらにはデータ変換センター２０で、データのフォーマットを変更することなく、データを指定された作成本数分だけコピーして、配送センター３０やユーザコンピュータ１０へ送ってもよい。
【００４９】
また、本実施形態では、変換元のコンピュータのメーカや変換先のコンピュータのメーカ等を示す情報をユーザコンピュータ１０から入力する場合を例に説明したが、別途これらの情報を入力する入力装置とを備えてもよい。
【００５０】
【発明の効果】
以上、説明したように、本発明によると、変換元データのフォーマットをユーザが希望するフォーマットに変換することができる。
【図面の簡単な説明】
【図１】本発明の実施形態の変換システムの模式的な構成を示すブロック図である。
【図２】図１のユーザコンピュータ１０の内部構成を示すブロック図である。
【図３】図１のデータ変換センター２０の内部構成を示すブロック図である。
【図４】図１の変換システムの動作を示すフローチャートである。
【符号の説明】
１０　ユーザコンピュータ
２０　データ変換センター
３０　配送センター
１００　インターネット
１０１，２０１　処理装置
１０２　データベース
２０２　変換テーブル
【図１】
2004038762.tif 000006
【図２】
2004038762.tif 000007
【図３】
2004038762.tif 000008
【図４】
2004038762.tif 000009